(57)【要約】【課題】  従来の調理、暖房、照明用燃焼器具は、燃料の燃焼条件の違いから燃料の成分や形状ごとに専用の燃焼器具が必要である。【解決手段】燃焼室を二層構造にして保温性を確保するとともに、燃焼室内に燃焼後の灰を分離する構造と、側面からの燃料追加投入構造を備えることで、燃焼条件の違う練炭などの石炭を主原料とする燃料にも薪木などの天然燃料にも対応した燃焼器具を発明した。  本燃焼器具では、持続燃焼に必要な温度や酸素の量などの燃焼条件が練炭と薪木との中間にある、木炭、竹炭、おが炭、木屑圧縮燃料など多数種の燃料が使用可能である。  多数種の燃料の特性に応じて多用途に使用することができ、緊急時にも燃料の確保が容易である。【選択図】図１
2018040559.tif 000002
【特許請求の範囲】
【請求項１】
有底かつ上面開放の筒状の本体と、前記本体の底よりも上方に位置し、前記本体の壁面との間に隙間を有するように内側に固定された上下開放筒状の燃焼室筒と、前記燃焼室筒の内側を覆うように支持された底網とを備えた調理、暖房、照明用燃焼器具。
前記本体の側壁には、前記底網よりも高い部位に、薪投入用の第１開口部が形成されており、かつ当該開口部を開閉自在に覆う扉が設けられており、前記底網よりも低い部位には吸気用の第２開口部が形成されており、かつ当該別の開口部を開閉自在に覆う別の扉が設けられている。
燃焼室筒の側壁には、前記底網よりも高く前記第１開口部より低い部位に、第３開口部が形成されている。
【請求項２】
有底かつ上面開放の筒状の本体には、上面を覆うように、熱気排出孔を備えた蓋を配置する。
【請求項３】
有底かつ上面開放の筒状の本体側壁の薪投入用の第１開口部には、当該開口部を開閉自在に覆う扉が設けられており、この扉の下部と前期本体側壁の第１開口部下部とが蝶番金具で固定されている。前記扉は全開にした場合に傾斜した状態で前記本体側壁に支持するように、下部が傾斜している。
【発明の詳細な説明】
【技術分野】
【０００１】  本発明は、多数種の燃料を使用可能な調理、暖房、照明用の燃焼器具に関する。
【背景技術】
【０００２】  従来の調理、暖房、照明用の燃焼器具では、燃料については特定の燃料、もしくは成分や形状が類似した燃料に限定している。【０００３】  その理由として、練炭や豆炭などの石炭を主原料とする燃料は、燃焼を持続させるために燃焼室内を高温に保つ必要があり、燃焼に必要な酸素の量も比較的少ない。このため、練炭などの燃料を使用する燃焼器具は珪藻土などを用いて燃焼室内を保温する構造になっており、大きな吸気口も必要としない。【０００４】  一方、薪木や落ち葉などの天然燃料は、比較的短時間に大きな熱量を発するため燃焼に必要な酸素の量が比較的多く、燃焼速度も比較的早いために頻繁に燃料を追加投入する必要があり、燃焼後の灰も溜まりやすい。燃焼後の灰は燃焼室に蓄積されると燃焼に必要な酸素の供給を阻害する要因になるため、燃焼室から灰を分離し蓄積する構造が必要になる。【０００５】  以上のような燃焼条件の違いから、練炭などの石炭を主原料とする燃料を使用する燃焼器具と、薪木などの天然燃料を使用する燃焼器具とでは、構造が異なる。【０００６】  当然ながら燃料の燃焼特性の違いは用途にも影響する。例えば練炭などの石炭を主原料とする燃料は、一定の火力が長時間持続し燃料の補充もほとんど必要がないため暖房や長時間の煮込み調理などに適し、薪木は短時間で高い熱量を発するため、湯沸かし、焼き物調理や照明などに適する。
【発明の概要】
【発明が解決しようとする課題】
【０００７】  以上に述べた従来の燃焼器具では用途に応じて燃料や器具を選定し用意する必要がある。また目的の燃料が入手できない場合には使用が困難である。【０００８】  本発明の燃焼器具は、多数種の燃料を使用可能にし、調理、暖房、照明など燃料の特性に応じて多用途に使用すること、かつ燃料の入手を容易にすることを目的とする。
【課題を解決するための手段】
【０００９】  燃焼器具の燃焼室を本体との二層構造とし、燃焼室が外気に接しない構造とすることで、練炭などの石炭を主原料にする燃料の持続燃焼に必要な燃焼室内の温度を確保する。【００１０】  また、燃焼後の灰を燃焼室外に分離する構造を備え、燃料後の灰が燃焼室内に蓄積し、酸素の供給を阻害するのを防ぐ。【００１１】  燃料の種類によって大きく異なる酸素量の調整については、開閉量が調節可能な吸気口と、同じく吸気にも作用する燃料投入口とを設けることにより解決する。
【発明の効果】
【００１２】  本発明は、練炭などの石炭を主原料とする燃料と、薪木などの天然燃料との両方を燃料として使用できる燃焼器具である。【００１３】  燃焼持続温度や必要酸素量などの燃焼条件が両極であるため、練炭などの石炭を主原料とする燃料と薪木などの天然燃料について述べたが、燃焼の持続に必要な燃焼庫内の温度や、酸素の量などの燃焼条件が、これらの中間に位置する木炭、竹炭、おが炭、木屑圧縮燃料なども、本発明の燃焼器具では燃料として使用することができる。【００１４】  本発明の燃焼器は、燃焼条件の異なる多数種の燃料に対応しているため、調理、暖房、照明など、それぞれの燃料の特性に応じた多用途に使用することができる。【００１５】  また、特定の燃料が入手できない状況であっても代替燃料で使用が可能なため、災害緊急時などでも調理、暖房、照明などの用途に資することができる。
【図面の簡単な説明】
【００１６】
【図１】本発明の燃焼器の外観を示す部分断面図
【図２】同燃焼器の薪投入口を全開した状態の断面図
【図３】同燃焼器の燃焼室筒の固定方法を示す一部断面図
【図４】同燃焼器の燃焼室筒に底網を支持する方法を示す上面図
【発明を実施するための形態】
【００１７】  以下、本発明の実施形態を図１、図２、図３、図４に基づいて説明する。
【００１８】  燃焼室１が外気に対して二層になるように、燃焼室筒２を本体３の内側中心かつ上方付近に、連結金具９を介して、同じ高さで三方向から固定する。本体３と連結金具９とをリベット１１で固定し、連結金具９と燃焼室筒２とを長リベット１０で固定する。長リベットは、燃焼室筒２の内側に突起し、底網７を燃焼室筒２の内側下方に支持する構造として作用する。燃焼室筒２を本体３に固定する高さは吸気室６の空間を確保するために吸気口５上端付近とする。
【００１９】  また本体３側面には本体開口穴３ａがあり、その入り口には薪投入口扉４を蝶番金具で固定し開閉式とするが、薪投入口扉４は、下部を支持されながら上方部分が円弧を描くように開閉するよう、薪投入口扉４下部と本体開口穴３ａ下部とを蝶番金具で固定する。薪投入口扉４は全開にした場合に傾斜した状態で本体３側壁に支持するように、下部が傾斜している。
【００２０】  燃焼室筒２側面には本体開口穴３ａよりやや下方かつ底網７より上方に燃焼筒開口穴２ａがあり、薪木を燃料として追加投入する際には、薪投入口扉４を開け、本体開口穴３ａから棒状の薪木を投入した場合、底網７まで到達する位置関係となっている。
【００２１】  薪木を燃料にする場合、薪投入口扉４を開け、燃料を投入することで、薪木が斜めに支持される。これにより、燃焼効果が向上し、薪木の自重により燃焼につれて燃焼室１に燃料が入っていく効果がある。
【００２２】  燃焼室筒２内側下端には底網７を長リベット１０で支持する。
【００２３】  以上の構造により、燃焼室１は本体３との二層構造となり、外気に接しない構造となり、練炭などの石炭を原料とする燃料を持続的に燃焼させる温度を保つことができる。
【００２４】  一方、薪木を燃料とする場合、底網７が、燃料を保持するとともに、網目を通して燃焼後の灰を吸気室６に落下させ、燃料と灰とを分離し、燃焼室１内に灰が蓄積して酸素の供給が阻害されるのを防ぐ。
また、薪投入口扉４を開くことで、本体開口穴３ａと燃焼室筒開口穴２ａとを通して燃焼室１に直接燃料を容易に供給でき、かつ燃焼に必要な量の酸素が供給されるため、連続的に燃料を投入して燃焼を持続させることができる。
【符号の説明】
【００２５】  １    燃焼室
２    燃焼室筒
２ａ  燃焼室筒開口穴
３    本体
３ａ  本体開口穴
４    薪投入口扉
５    吸気口
６    吸気室
７    底網
８    蓋
９    連結金具
１０  長リベット
１１  リベット
【図１】
2018040559.tif 000003
【図２】
2018040559.tif 000004
【図３】
2018040559.tif 000005
【図４】
2018040559.tif 000006